(57)【要約】【課題】  オーバーロックミシンにおいて、駆動メスを必要としない作業の場合に、駆動メスを停止させるとともに、駆動メスを針板下部に格納状態にしておくことができる上メス切替え機構を備えたミシンを提供すること。【解決手段】  布縁切断機構は駆動源により駆動されて前記上メス部１３の上下運動を発生するための手段と、該上下運動を発生するための手段による運動を前記上メス部１３の上下動に伝達するための手段と、該伝達するための手段に設けられてその伝達を遮断するための手段と、該伝達を遮断するための手段を手動操作する手動操作手段とからなること。前記伝達を遮断するための手段による遮断時には前記上メス部１３が上下運動を発生するための手段による運動範囲から離れた退避位置に設定されるようにしたこと。【選択図】      図１
2005168939.tif 000002
【特許請求の範囲】
【請求項１】
ミシンベッドの針板に近接して固着された下メス部と、該下メス部と協働して布の縁を切断する上メス部を備えた布縁切断機構を有するミシンにおいて、前記布縁切断機構は駆動源により駆動されて前記上メス部の上下運動を発生するための手段と、該上下運動を発生するための手段による運動を前記上メス部の上下動に伝達するための手段と、該伝達するための手段に設けられてその伝達を遮断するための手段と、該伝達を遮断するための手段を手動操作する手動操作手段とからなり、前記伝達を遮断するための手段による遮断時には前記上メス部が上下運動を発生するための手段による運動範囲から離れた退避位置に設定されるようにしたことを特徴とする上メス切替え機構を備えたミシン。
【請求項２】
ミシンベッドの針板に近接して固着された下メス部と、該下メス部と協働して布の縁を切断する上メス部を備えた布縁切断機構とを備え、前記布縁切断機構は駆動源により駆動されて前記上メス部の上下運動を発生するための手段と、該上下運動を発生するための手段による運動を前記上メス部の上下動に伝達するための手段と、該伝達するための手段に設けられて伝達を遮断するための手段と、該伝達を遮断するための手段を手動操作する手動操作手段とを有する上メスの切替え機構を備えたミシンにおいて、前記伝達を遮断するための手段の遮断時には前記上メスが上下運動を発生するための手段による運動範囲から離れた退避位置に設定されるようにしたことを特徴とする上メス切替え機構を備えたミシン。
【請求項３】
前記駆動源により駆動されて前記上メス部の上下運動を発生するための手段は、ミシン機枠に回転可能に支承されたミシン主軸と、該ミシン主軸に固着されて、所定の偏心量を備えた円形の偏心カムであるメスカムと、前記ミシン主軸と並行に前記ミシン機枠に支承されたメス軸と、一端が前記メスカムに嵌合して他端は前記メス軸に支承された第１クランクの一端に固着されたピンに連結するロッドとによりなることを特徴とする請求項１又は２に記載の上メス切替え機構を備えたミシン。
【請求項４】
前記上下運動を発生するための手段による運動を前記上メス部の上下動に伝達するための手段は、前記メス軸に揺動自在に支承された第１クランクと、前記メス軸に並列となるようにミシン機枠に支持されたメス揺動軸と、前記メス軸に支承された第２クランクと、前記メス揺動軸に回転可能に支持され、一端に角ゴマがスライド可能に嵌合する長溝が設けられ、前記角ゴマに設けられた嵌合穴に前記メス軸に支持された第２クランクの先端に設けたピンで連結され他端側にて前記上メス部に上下運動を伝達するメス揺動腕とからなり、前記第１クランクと第２クランクには結合することにより一体化させる結合部が設けられ、一体化された第１クランクと第２クランクとが前記メス軸に揺動してなることを特徴とする請求項３に記載の上メス切替え機構を備えたミシン。
【請求項５】
前記結合部は、前記第１クランクと前記第２クランクのいずれか一方に結合突起が形成され、他方に結合穴が形成され、前記第１クランクと第２クランクとは当接することにより前記結合突起が結合穴に挿入して結合されてなることを特徴とする請求項４に記載の上メス切替え機構を備えたミシン。
【請求項６】
前記上メス部が退避する手段は、伝達を遮断するための手段により上下運動の伝達が遮断されている状態で、常時上メス部を下方に弾性付勢されてミシン本体の針板より下方に収納されるようにしてなることを特徴とする請求項１，２，３，４又は５に記載の上メス切替え機構を備えたミシン。
【請求項７】
前記伝達を遮断するための手段は、第１クランクと第２クランクとを相互に引き離して前記結合部における結合突起を結合穴から外す手動操作部を設けたことを特徴とする請求項１，２，３，４，５又は６に記載の上メス切替え機構を備えたミシン。
【発明の詳細な説明】
【技術分野】
【０００１】
本発明は、オーバーロックミシンにおいて、駆動メスを必要としない作業の場合に、駆動メスを停止させるとともに、駆動メスを針板下部に格納状態にしておくことができる上メス切替え機構を備えたミシンに関する。
【背景技術】
【０００２】
従来、オーバーロックミシンにおいては、駆動メスを使用しない場合について、切替えレバーでメス駆動の一部を切り離す方式が存在している。この種のものでは、下記特許文献１に示すタイプのものが存在している。すなわち、特許文献１に記載されている符号とともに内容を記載すると、略上下方向に往復動するリンク２８と上刃１６とが存在しており、このリンク２８と上刃１６は、第１アーム２９，第２アーム３０及び上刃ホルダ２２，ホルダガイド２３等の部材を介して連結され、偏心輪２７の回転運動により上下往復動するリンク２８が前記上刃１６に上下往復の運動を伝達するものである。そして、メス機構１４を使用しない状態のときには、第１アーム２９，第２アーム３０とを連結している連結ピン３４を切替レバー３８を介して引き抜いて、前記第１アーム２９，第２アーム３０とを切り離して、リンク１８から上刃への動作伝達を切断することができる構造となっている。
【特許文献１】特開平１１−２３５４８９号
【発明の開示】
【発明が解決しようとする課題】
【０００３】
上記特許文献１において、駆動源からの運動を伝達する手段では、停止位置を運動範囲で可動メスの作動を停止することが記載されている。従って、仮に停止位置が運動範囲の可動メスの下死点位置であったとしても、可動メスを作動させない縫目形成時に、可動メスが針板上面より上にとどまることにより、可動メスが布操作位置にあるから、布扱い時に布操作に支障を及ぼすことになる。この発明が解決しようとする課題（技術的課題又は目的）は、可動メスの作動を停止すると共に、停止位置を運動範囲外の位置に移動させるようにして、可動メスを作動させない縫目形成時に、可動メスが布操作位置に存在しないようにして、布扱いを容易にすること、また復帰操作により、運動範囲内に導くことで、運動を伝達するようにしたことである。
【課題を解決するための手段】
【０００４】
そこで発明者は、前記課題を解決すべく、鋭意，研究を重ねた結果、その発明を、ミシンベッドの針板に近接して固着された下メス部と、該下メス部と協働して布の縁を切断する上メス部を備えた布縁切断機構を有するミシンにおいて、前記布縁切断機構は駆動源により駆動されて前記上メス部の上下運動を発生するための手段と、該上下運動を発生するための手段による運動を前記上メス部の上下動に伝達するための手段と、該伝達するための手段に設けられてその伝達を遮断するための手段と、該伝達を遮断するための手段を手動操作する手動操作手段とからなり、前記伝達を遮断するための手段による遮断時には前記上メス部が上下運動を発生するための手段による運動範囲から離れた退避位置に設定されるようにした上メス切替え機構を備えたミシンとしたことにより、上記課題を解決したものである。
【０００５】
次に、ミシンベッドの針板に近接して固着された下メス部と、該下メス部と協働して布の縁を切断する上メス部を備えた布縁切断機構とを備え、前記布縁切断機構は駆動源により駆動されて前記上メス部の上下運動を発生するための手段と、該上下運動を発生するための手段による運動を前記上メス部の上下動に伝達するための手段と、該伝達するための手段に設けられて伝達を遮断するための手段と、該伝達を遮断するための手段を手動操作する手動操作手段とを有する上メスの切替え機構を備えたミシンにおいて、前記伝達を遮断するための手段の遮断時には前記上メスが上下運動を発生するための手段による運動範囲から離れた退避位置に設定されるようにした上メス切替え機構を備えたミシンとしたことにより、上記課題を解決したものである。
【０００６】
次に、前述の構成において、前記駆動源により駆動されて前記上メス部の上下運動を発生するための手段は、ミシン機枠に回転可能に支承されたミシン主軸と、該ミシン主軸に固着されて、所定の偏心量を備えた円形の偏心カムであるメスカムと、前記ミシン主軸と並行に前記ミシン機枠に支承されたメス軸と、一端が前記メスカムに嵌合して他端は前記メス軸に支承された第１クランクの一端に固着されたピンに連結するロッドとによりなる上メス切替え機構を備えたミシンとしたことにより、上記課題を解決したものである。        
【０００７】
次に、前記上下運動を発生するための手段による運動を前記上メス部の上下動に伝達するための手段は、前記メス軸に揺動自在に支承された第１クランクと、前記メス軸に並列となるようにミシン機枠に支持されたメス揺動軸と、前記メス軸に支承された第２クランクと、前記メス揺動軸に回転可能に支持され、一端に角ゴマがスライド可能に嵌合する長溝が設けられ、前記角ゴマに設けられた嵌合穴に前記メス軸に支持された第２クランクの先端に設けたピンで連結され他端側にて前記上メス部に上下運動を伝達するメス揺動腕とからなり、前記第１クランクと第２クランクには結合することにより一体化させる結合部が設けられ、一体化された第１クランクと第２クランクとが前記メス軸に揺動してなる上メス切替え機構を備えたミシンとしたことにより、上記課題を解決したものである。
【０００８】
さらに、上述した構造において前記結合部は、前記第１クランクと前記第２クランクのいずれか一方に結合突起が形成され、他方に結合穴が形成され、前記第１クランクと第２クランクとは当接することにより前記結合突起が結合穴に挿入して結合されるようにしたり、または前記上メス部が退避する手段は、伝達を遮断するための手段により上下運動の伝達が遮断されている状態で、常時上メス部を下方に弾性付勢されてミシン本体の針板より下方に収納されるようにしたり、または前記伝達を遮断するための手段は、第１クランクと第２クランクとを相互に引き離して前記結合部における結合突起を結合穴から外す手動操作部を設けてなる上メス切替え機構を備えたミシンとしたことにより上記課題を解決したものである。
【発明の効果】
【０００９】
本発明によれば、極めて簡単な構造及び操作にてメス機構を使用しない場合における上メス部の動作を停止し、且つ伝達を遮断するための手段による上メス部への上下運動の遮断時には前記上メス部を運動範囲から離れた退避位置に設定させるようにすることができ、上メス部を作動させないときには、可動メスが布操作位置に存在しないようにして、布扱いを容易にすること、また復帰操作により、運動範囲内に導くことで、運動を伝達するようにすることができるものである。
【発明を実施するための最良の形態】
【００１０】
発明の実施形態を図面に基づいて説明する。本発明は、主に上メス部１３の上下運動を発生するための駆動する手段と、この駆動する手段による運動を前記上メス部１３に上下動を伝達するための手段と、該上下運動の伝達遮断するための手段と、この伝達を遮断するための手段を手動操作する手動操作手段とからなる。
【００１１】
まず、前記駆動源により駆動されて前記上メス部１３の上下運動を発生するための手段は、ミシン主軸２，メスカム３及びロッド４から構成される。次に、上下運動を発生するための手段による運動を前記上メス部１３の上下動に伝達するための手段は、主に第１クランク５，第２クランク６及びメス揺動腕７とから構成される。また、伝達するための手段に設けられてその伝達を遮断するための手段は、前記第１クランク５と第２クランク６とに設けられた結合部５２にて構成され、手動操作手段は主に手動操作部Ａからなる。
【００１２】
まず、下メス部１は、下メス部刃１ａがメス固定台１ｂに固着されている。該下メス部１は、その下メス部刃１ａが上方を向くようにして、メス固定台１ｂがミシン本体の針板３０よりも下方箇所に固定されたものである。その下メス部１の下メス部刃１ａに対して、略上下に往復動するようにして上メス部１３が装着される。
【００１３】
該上メス部１３は、図７（ｃ）等に示すように、上メス刃１３ａと上メスホルダ１３ｂと上メス連結腕１３ｃとから構成される。その上メス刃１３ａは、上メスホルダ１３ｂと上メス連結腕１３ｃにより支持されるものであって、該上メスホルダ１３ｂは、メス保持部１３ｂ1 と支持軸部１３ｂ2 から構成される。そのメス保持部１３ｂ1 には、前記上メス刃１３ａがビス，ボルト等の固着具にて固着されている。
【００１４】
前記上メスホルダ１３ｂは、上メス連結腕１３ｃに装着される。該上メス連結腕１３ｃには、メス支持部１３ｃ1 と腕部１３ｃ2 から構成されている。そのメス支持部１３ｃ1 は、円筒状に形成され、前記上メス部１３の支持軸部１３ｂ2 が挿入される部位である。そして、上メス連結腕１３ｃには、上メスホルダ１３ｂを介して上メス部１３が固着される。前記メス支持部１３ｃ1 の支持軸部１３ｂ2 の突出する側には、上メス押圧バネ１３ｄが押え具１３ｅを介して装着されている。該上メス押圧バネ１３ｄは、上メス刃１３ａに下メス部刃１ａ側へ押圧する弾性的な押圧力を与え、布切断時における必要なメス圧を発生させるものである。
【００１５】
前記上メス部１３の上メス連結腕１３ｃは、上メス連結軸１５によって、上メスリンク８と連結される。また、前記下メス部１は、針板３０と略同一高さで送り歯、押さえ等の針落ちの位置より手前となるようにして下メス台１ｃに配置される。なお図１，図２において符号３１は、ミシン針である。一方、ミシン本体に配置されたミシン主軸２にはメスカム３と、該メスカム３によって上下方向に揺動するよりロッド４が装着されている〔図１，図２及び図７（ａ）等参照〕。該ロッド４の下端に第１クランク５がピン５ｃを介して相互に回転自在に連結され、また、該第１クランク５の他端側が第２クランク６と回転自在に連結されている。
【００１６】
次に、上下動を伝達するための手段の構成については、その第１クランク５は、図７（ｂ）に示すように、主に長手方向略中央箇所に形成された貫通孔とした揺動中心部５ａと、前記ロッド４と連結するロッド連結部５ｂとから構成される。また、第２クランク６は、長手方向の一端側に貫通孔とした揺動中心部６ａが形成されている。また、長手方向の他端側には、連結軸６ｂが形成されている。この第１クランク５と第２クランク６とは、図１，図２等に示すように、同一のメス軸５１に装着されるものであり、該メス軸５１を介して第１クランク５と第２クランク６とが揺動するものである。すなわち、第１クランク５と第２クランク６とは、揺動中心位置が同一となるものである。この第２クランク６は、前記メス軸５１を軸方向に沿って摺動自在としている。
【００１７】
そして、後述する手動操作部Ａの操作にて、図１（ｂ），図２（ｂ）等に示すように、その第２クランク６を前記第１クランク５に対して当接させたり、或いは離間させることができる構造となっている。なお、上記当接の意味は、略当接及び近接することの意味も含まれる。その第１クランク５と第２クランク６とは、図１（ｂ），図２（ｂ）及び図７等に示すように、相互に結合する結合部５２を有している。この結合部５２は、前記第１クランク５と第２クランク６とを結合したり、或いは適宜結合解除自在とすることで結合を切り離すものであり、遮断する手段を介して第１クランク５と第２クランク６とが引き離される。その結合部５２は、図２（ｂ），図７（ｂ）に示すように、結合突起５２ａと結合穴５２ｂとから構成される。図示された実施形態では、前記結合突起５２ａは、前記第１クランク５側に形成され、前記結合穴５２ｂは、第２クランク６に形成されている。その第２クランク６が第１クランク５に向かって移動し、両者が略当接した状態で前記結合突起５２ａが結合穴５２ｂに挿入して連結するものである〔図３（ａ），（ｂ）参照〕。
【００１８】
この結合突起５２ａと結合穴５２ｂとが結合することにより、第１クランク５と第２クランク６とは長手方向に沿って前記メス軸５１と結合部５２との２点支持構造により一体的になって動作するものである。そして、前記第１クランク５による揺動動作が直接第２クランク６に伝達されるものである。前記第２クランク６には、前記第１クランク５側に、常時近づくように弾性的に付勢する戻しバネ１８が装着されている。該戻しバネ１８は、捩じり式コイルバネが使用され、ミシン本体と前記第２クランク６との間に装着され、その捩じり式コイルバネの一端側のピン状部分が第２クランク６を常時，第１クランク５側に弾性的に付勢している。
【００１９】
その結合突起５２ａと結合穴５２ｂは、具体的には図２（ｂ）に示すように、挿入穴（結合突起５２ａ）と、該挿入穴（結合突起５２ａ）に挿入自在な突起軸（結合穴５２ｂ）とから構成される。そして、挿入穴形状の結合突起５２ａに突起軸形状の結合穴５２ｂが挿入することにより結合が行われる。また、結合部５２には、前述した構造に限定されるものではなく、結合突起５２ａと結合穴５２ｂとは相互に結合し、また第１クランク５と第２クランク６とを離間するのみで結合部５２を構成する結合突起５２ａと結合穴５２ｂとが切り離されて、その結合状態が解除される構造のものであればよい。
【００２０】
そして、上下運動を発生するための手段として、ミシン主軸２の回転によって前記メスカム３が回転することにより、図１（ａ）に示すように、前記ロッド４が上下方向に往復動するものであり、この上下運動を発生するための手段による上下往復動が前記第１クランク５及び該第１クランク５と一体化された第２クランク６に揺動動作を伝達するものである。この第１クランク５，第２クランク６の揺動動作がメス揺動腕７に揺動運動を行わさせ、該メス揺動腕７が上メスリンク８を揺動動作させるものである。
【００２１】
前記メス揺動腕７と第２クランク６との連結は、摺動自在な連結機構部となっている。具体的には、図１，図２及び図７（ｂ）等に示すように、前記メス揺動腕７は、長手方向の略中央が揺動中心部７ａとなっており、ミシン機枠に支承されたメス揺動軸５３により前記揺動中心部７ａが揺動自在に支持されている。そして、メス揺動腕７のその一端側には前記第２クランク６と連結する摺動連結部７ｂが形成され、他端側には、前記上メスリンク８と連結する連結部７ｃが形成されている。
【００２２】
該摺動連結部７ｂは、略長方形状の摺動長孔として形成されており、その内部に角駒７ｄが遊挿され、該角駒７ｄが摺動連結部７ｂ内を摺動自在となっている。その角駒７ｄは、略直方体状に形成され、軸孔７ｄ1 が形成されており、前記第２クランク６の連結軸６ｂが挿入されて、第２クランク６とメス揺動腕７とが相互に回動自在に連結されている。さらに、第２クランク６とメス揺動腕７との連結箇所は摺動自在であり、スライダークランク機構を構成して、第２クランク６からの揺動動作をメス揺動腕７に滑らかに伝達することができる（図１，図２等参照）。
【００２３】
さらに、そのメス揺動腕７は、連結部７ｃを介して上メスリンク８と回転自在に連結され、メス揺動腕７の揺動運動を前記連結部７ｃを介して上メスリンク８に上下運動として伝達するものである。該上メスリンク８は、前記上メス連結腕１３ｃを介して上メス部１３が装着されている。前記上メス部１３は、常時，下方に弾性的に付勢されて、前記第１クランク５と第２クランク６との結合が解除された状態では、その上メス部１３が退避手段として上メス引張りばね１９によって、前記針板３０より下方に収納されるようになっている。
【００２４】
さらに、前記上メスリンク８は、図１（ａ），図２（ａ）及び図７（ａ）等に示すように、２本の第１平行リンク９及び第２平行リンク１０を介して前記下メス部１のメス固定台１ｂと連結され、上メスリンク８が略上下方向に往復動することができる構造となっている。また、前記第１平行リンク９と第２平行リンク１０は、その長手方向の長さが僅かに異なるように設定されることで、僅かに左右方向に揺動しながら上下往復動することができるようになっている。そして、前記第２平行リンク１０に引張りばね１９の一端側が引掛けられ、他端側がミシン本体側に引掛けられ、前記第２平行リンク１０が下方に引っ張られるようにすることで、上メスリンク８に装着された前記上メス部１３が下方に弾性的に付勢される構造となっている。
【００２５】
次に、手動操作手段として、手動操作部Ａは、図３，図４（ａ），（ｂ）に示すように、主にメス切替えレバー１６，切替え連結板２３及び復帰レバー部２４とから構成されるものであって、前記メス切替えレバー１６は、操作主板１６ａと操作レバー１６ｂとからなり、この操作主板１６ａと操作レバー１６ｂとが略Ｔ字形状のメス切替えレバー１６を構成している。さらに、具体的には、前記操作主板１６ａに対して操作レバー１６ｂが略直角となるように一体的に形成されている。
【００２６】
操作主板１６ａの略中央箇所には、図４（ａ）に示すように、揺動中心部１６ｅが形成され、メス切替えレバー１６がミシン機枠に対して水平方向に揺動自在に設けられている。その操作主板１６ａには、操作撮み部１７が装着されている。該操作撮み部１７は、ミシン本体の外部に突出しており、その操作撮み部１７の操作により前記操作主板１６ａを揺動操作させ、前記第２クランク６をメス軸５１の軸方向に沿って移動させ、前記第１クランク５と第２クランク６の結合部５２による結合状態及び結合解除状態のいずれかを選択して操作するものである。
【００２７】
さらに、前記操作撮み部１７がミシン本体から突出する部位には、図３（ａ），（ｂ）に示すように、操作位置保持部材２０が装着されている。該操作位置保持部材２０は、操作位置固定部２０ａと、固定用バネ部２０ｂとから構成されている。そして、操作位置固定部２０ａは、前記操作主板１６ａに設けられ、固定用バネ部２０ｂはミシン本体側に固着されている。前記操作位置固定部２０ａは、プレート状に形成され、前記第１クランク５と第２クランク６の結合部５２による結合状態及び結合解除状態の２つの状態を保持するための固定用穴２０ａ1 ，２０ａ1 が形成されている。
【００２８】
さらに固定用バネ部２０ｂは、弾性を有する板バネ状の弾性腕片２０ｂ1 とその先端に屈曲形成された固定用端片２０ｂ2 が形成され、前記弾性腕片２０ｂ1 の一端側の固定基板がミシン機枠に固着される。前記固定用端片２０ｂ2 は、前記弾性腕片２０ｂ1 の端部に略Ｖ字形状に屈曲形成されたもので、前記第１クランク５と第２クランク６との結合部５２による結合又は解除状態を維持する２つの固定用穴２０ａ1 ，２０ａ1 のいずれかに嵌合状態に固定するものである。上記の構成にて、操作位置保持部材２０の操作位置固定部２０ａは操作主板１６ａとともに移動し、またその操作位置固定部２０ａの移動によって、前記固定用バネ部２０ｂの固定用端片２０ｂ2 がいずれかの固定用穴２０ａ1 ，２０ａ1 に嵌まるようにして固定し、手動操作部Ａの操作位置を保持するものでる。また、前記操作主板１６ａのミシン本体内部側における端部（操作主板１６ａの操作撮み部１７が装着されている側の反対側）には、操作復帰バネ２５が装着されている。該操作復帰バネ２５は、前記第２クランク６が第１クランク５から離間する方向に弾性的に付勢するものである。
【００２９】
その操作レバー１６ｂには、第１クランク５と第２クランク６とをメス軸５１に沿って離間させる離間手段が設けられている。該離間手段としては、突起１６ｃが形成され、該突起１６ｃ箇所には前記第２クランク６が配置される。該第２クランク６の底面箇所には、この突起１６ｃが遊挿する旋回孔６ｄが形成されており、前記第２クランク６が操作レバー１６ｂにより旋回自在となる構成となっている。また、前記操作レバー１６ｂの端部箇所には、押圧手段が設けられている。該押圧手段は、前記第２クランク６とメス揺動腕７との摺動連結箇所を押し下げる役目をなすものであり、切替え連結板２３と復帰レバー部２４とから構成されている。
【００３０】
前記操作レバー１６ｂの先端には、旋回孔６ｄが形成され、該旋回孔６ｄを介して切替え連結板２３が連結される。該切替え連結板２３は、その一端側の連結片２３ａが操作レバー１６ｂに連結され、他端側には、後述する復帰レバー部２４を操作するための、操作伝達部２３ｂが形成されている。該操作伝達部２３ｂは、屈曲片２３ｂ1 と操作突起片２３ｂ2 とから構成され、該操作突起片２３ｂ2 により復帰レバー部２４を上下方向に揺動操作することができる。該復帰レバー部２４は、図４（ｂ）に示すように、前記操作突起片２３ｂ2 が摺動自在に係合する摺動溝２４ａと、押圧突起２４ｂと、該復帰レバー部２４が上下方向に揺動するための揺動中心部２４ｃとから構成される。
【００３１】
その復帰レバー部２４は、ミシン本体側に揺動自在となるように揺動中心部２４ｃを介してミシン機枠に設けられている。前記押圧突起２４ｂは、図５（ａ），（ｂ）及び図６に示すように、前記第２クランク６とメス揺動腕７との摺動連結箇所を下方に押し下げる役目をなす。この動作が行われることによって、前記結合部５２による結合突起５２ａと結合穴５２ｂによる結合やその切り離しを行い易くするものである。
【００３２】
すなわち、第１クランク５と第２クランク６との結合が解除された状態では、前記第２クランク６の結合穴５２ｂは、第１クランク５の結合突起５２ａの揺動角度θにおける揺動軌跡領域の外部に存在する。これは、図２に示すように、前述したように引張りばね１９により上メス部１３，上メスリンク８及びメス揺動腕７が下方に弾性的に付勢されているので、第２クランク６とメス揺動腕７と連結箇所が上方に位置することとなる。このとき、第２クランク６の結合穴５２ｂの位置は、第１クランク５の揺動角度θによる揺動軌跡の領域外となるように設定されている。これは、第１クランク５と第２クランク６との結合部５２による結合が解除されている状態で、第１クランク５が揺動角度θで揺動動作を行っても、その結合部５２における結合突起５２ａと結合穴５２ｂとが干渉することがないようにしている。
【００３３】
このように第１クランク５と第２クランク６との結合部５２による結合が解除された状態から再度結合部５２による結合を行わさせるには、前記手動操作部Ａを操作して切替えレバー１６の操作レバー１６ｂ先端に連結された切替え連結板２３を介して復帰レバー部２４を回動させる。そして、前記第２クランク６と揺動腕７との連結箇所を復帰レバー部２４の押圧突起２４ｂにて押し下げ、第２クランク６の結合穴５２ｂを第１クランク５の揺動軌跡領域内に押し入れる。また同時に、第２クランク６は、戻しバネ１８によって第１クランク５側に当接又は近接するように弾性的に付勢されている。これによって、第１クランク５が揺動動作を行うことで、該第１クランク５の結合突起５２ａは、静止している第２クランク６の結合穴５２ｂと位置が一致するときに、前記結合突起５２ａと結合穴５２ｂとの結合が行われることになる。
【００３４】
上記のようにして、第１クランク５と第２クランク６とが結合部５２により結合して、第１クランク５と第２クランク６とが一体的なクランクを構成し、ミシン主軸２，メスカム３及びロッド４からの上下往復動が第１クランク５と第２クランク６に伝達され、メス揺動腕７及び上メスリンク８等を介して上メス部１３に伝達され、メス駆動状態に復帰させることができる。
【００３５】
次に、ミシン作業においてメス機構を使用しない場合、すなわち、メス解除動作を図３（ｂ）に基づいて述べる。メス駆動状態から手動操作部Ａのつまみをメス解除側へ切り替えると、手動操作部Ａの突起１６ｃが第２クランク６を戻しばね１８の弾性押圧力に抗して該第２クランク６を第１クランク５から離間させる。これによって、結合突起５２ａと結合穴５２ｂとの結合状態が解除される。
【００３６】
結合部５２による結合が解除されると、第２クランク６とメス揺動腕７との摺動連結箇所は、前記引張りばね１９により、上方に位置し、第２クランク６の結合穴５２ｂが第１クランク５の揺動軌跡領域の外部に位置し、第１クランク５と第２クランク６との結合突起５２ａと結合穴５２ｂとの結合が行われないようにする。これによって、第２クランク６と第１クランク５との結合が解除され、メス切断機構の駆動が行われないようにすることにより、前記上メスリンク８には上メス引張りばね１９の下方への弾性的付勢力により、前記上メスリンク８を介して前記上メス部１３は針板３０よりも下方に退避した位置となる。
【００３７】
この時点のメス駆動解除状態では、前記第２クランク６の結合穴５２ｂは、第１クランク５の結合突起５２ａの揺動軌跡領域の外側に位置していることになる。これによって、第１クランク５と第２クランク６とは、結合部５２によって結合されない状態となっている。そして、前記操作位置保持部材２０の固定用穴２０ａ1 において、結合部５２が切り離された状態を設定する固定用穴２０ａ1 に、前記手動操作部Ａの固定用端片２０ｂ2 が嵌まり込み、その状態で手動操作部Ａを固定する。これによって、手動操作部Ａにおけるメス駆動解除状態の位置が安定した状態で維持されるものである。
【００３８】
本発明では、極めて簡単な操作により、メス駆動を解除するとともに、その解除時には前記上メス部１３は、上下運動させる機構と切り離された状態となる退避位置に設定され、上メス部１３が針板３０の下方側に収納された状態とすることができ、ミシン縫い作業の妨げにならず、メス駆動の解除時における作業を行うことができる。
【図面の簡単な説明】
【００３９】
【図１】（ａ）は本発明において上メスの駆動状態とした構成図、（ｂ）は（ａ）の第１クランクと第２クランクとの結合状態を示す断面図である。
【図２】（ａ）は本発明において上メスの駆動解除状態とした構成図、（ｂ）は（ａ）の第１クランクと第２クランクとの結合を解除した状態を示す断面図である。
【図３】（ａ）はメス駆動状態における操作部箇所の平面図、（ｂ）はメス駆動解除状態における操作部箇所の平面図である。
【図４】（ａ）は操作部の構成を示す斜視図、（ｂ）は操作部の要部の構成を示す分解斜視図である。
【図５】（ａ）は操作部の復帰レバーの非作動状態の状態図、（ｂ）は操作部の作動状態の状態図である。
【図６】第２クランクとメス揺動腕との連結箇所が復帰レバー部により押圧された状態図
【図７】（ａ）は本発明の要部斜視図、（ｂ）は第１クランク，第２クランク及びメス揺動腕箇所の分解斜視図、（ｃ）は上メス部箇所の分解斜視図、（ｄ）は下メス部箇所の分解斜視図である。
【符号の説明】
【００４０】
Ａ…手動操作部
１…下メス部
４…ロッド
５…第１クランク
６…第２クランク
７…メス揺動腕
１３…上メス部
５１…メス軸
５２…結合部
５２ａ…結合突起
５２ｂ…結合穴
【図１】
2005168939.tif 000003
【図２】
2005168939.tif 000004
【図３】
2005168939.tif 000005
【図４】
2005168939.tif 000006
【図５】
2005168939.tif 000007
【図６】
2005168939.tif 000008
【図７】
2005168939.tif 000009